(57)【特許請求の範囲】
【請求項１】
水平方向に移動可能な上蓋と該上蓋によって直方形状をなす収容空間が閉塞される容器部とからなるケーシングと；
前記上蓋の下面から前記収容空間内に垂設される一対の係合ブロックと；
前記容器部の収容空間において、前記係合ブロックに係合して一定間隔を保持して上下に多段に、かつ水平状に配される複数の可動抵抗板と；
前記可動抵抗板の間に微小間隙を保って水平状に配されるとともに前記ケーシングに対して整流部により所定間隔を保持して固定される固定抵抗板と；
前記容器部の収容空間に充填され、前記可動抵抗板と固定抵抗板との間隙並びに前記整流部を満たす粘性体と；を含み、
前記固定抵抗板の両端部の前記整流部は前記粘性体の流通をなす、
ことを特徴とする粘性せん断型ダンパー。
【請求項２】
整流部は、粘性体の流通をなす透孔を有する隔壁板が間隔をもって配されてなる請求項１に記載の粘性せん断型ダンパー。
【請求項３】
直方形状をなす収容空間を有する容器部としてのケーシングと；
前記容器部の収容空間内に配され、少なくとも該収容空間の壁面に平行して配される一対の脚部と該脚部の上端を繋ぐ横梁とからなる係合体と；
前記容器部の収容空間において、前記係合体の脚部に係合して一定間隔を保持して上下に多段に、かつ水平状に配される複数の可動抵抗板と；
前記可動抵抗板の間に微小間隙を保って水平状に配されるとともに前記ケーシングに対して整流部により所定間隔を保持して固定される固定抵抗板と；
前記容器部の収容空間に充填され、前記可動抵抗板と固定抵抗板との間隙並びに前記整流部を満たす粘性体と；を含み、
前記固定抵抗板の両端部の前記整流部は前記粘性体の流通をなす、
ことを特徴とする粘性せん断型ダンパー。
【発明の詳細な説明】
【０００１】
【発明の属する技術分野】
この発明は、相対移動する構造物間に介装され、構造物の急激な変位を阻止するストッパーとして機能するダンパーに関し、更に詳しくは、互いに微小間隙を保って平行状に配され、その間隙中に充填された粘性体を介して相対移動する平行状の固定及び可動抵抗板間に生じる粘性せん断を利用するいわゆる粘性せん断型ダンパーに関する。
【０００２】
【従来の技術】
本出願人らは先に、この種の粘性せん断型ダンパーに付き、「緩衝作用を行わせる装置」として実公昭５４−４３２６２号公報（以下、先行技術という）をもって提案した。
すなわち、該先行技術の緩衝作用を行わせる装置は、方形の薄板からなる固定抵抗板と、該抵抗板よりも長さが短かくかつ横幅が広い薄板からなる移動抵抗板（可動抵抗板）が該固定抵抗板と微小間隙をもつて交互に配されており、該移動抵抗板はその横幅方向の端縁部において相対向せる切欠き部を有しており該切欠き部には係合ブロックが係合されており、かく組合わされた抵抗板間には粘性物質（粘性体）が充填介在せしめられていて全体がケーシングに収納されており、該固定抵抗板はその長手方向端縁部においてケーシング壁に当接せしめられ、係合ブロックによって係合せしめられた移動抵抗板は、その横方向の端縁部においてケーシング壁と空間を有しており、該係合ブロックおよびケーシングにおいて相対向せる構築物部材にそれぞれ固定されてなることを特徴とするものである。
しかして、この先行技術の装置によれば次の特長を得ている。
1)装置内に流体圧を生ぜず、流体の漏洩がないので装置を密封構造とする必要がない。
2)ピストンシリンダー型ダンパーなどのように嵌合摺動部を持たないので高度の加工精度を要しない。
3)係合ブロックに若干の傾きがあっても固定抵抗板と可動抵抗板との間に平行な位置関係が保たれ、特に主たる移動方向に対して移動抵抗板の弾性的不安定要素が著しく減少せしめられている。
しかしながら、該先行技術においては、その作動中、すなわち、可動抵抗板の急激な変位により、粘性体に空気混入による泡立ちが見られ、時としてオーバーフローを起こす等、安定した粘性せん断抵抗力が十分に発揮できない場合がある。
【０００３】
【発明が解決しようとする課題】
そこで、本発明は、先行技術の問題点を克服すべくなされたものであり、粘性せん断抵抗力が安定的に得られる粘性せん断型ダンパーを得ることを目的とする。
しかして、本発明は、先行技術における粘性体の空気混入及びオーバーフローが、可動抵抗板及び係合ブロックの急激な変位に帰因して、粘性体に過剰圧力を生起させているとの知見のもとに、この過剰圧力の消散をもって上記欠点の解消を図ったものである。
【０００４】
【課題を解決するための手段】
本発明の粘性せん断型ダンパーは、具体的には以下の構成を採る。
すなわち、本発明の粘性せん断型ダンパーの主たる構成は、水平方向に移動可能な上蓋と該上蓋によって直方形状をなす収容空間が閉塞される容器部とからなるケーシングと；前記上蓋の下面から前記収容空間内に垂設される一対の係合ブロックと；前記容器部の収容空間において、前記係合ブロックに係合して一定間隔を保持して上下に多段に、かつ水平状に配される複数の可動抵抗板と；前記可動抵抗板の間に微小間隙を保って水平状に配されるとともに前記ケーシングに対して整流部により所定間隔を保持して固定される固定抵抗板と；前記容器部の収容空間に充填され、前記可動抵抗板と固定抵抗板との間隙並びに前記整流部を満たす粘性体と；を含み、前記固定抵抗板の両端部の前記整流部は前記粘性体の流通をなすことを特徴とする。
上記構成において、整流部は以下の実施形態において具体的構成をもって示される。
本発明の粘性せん断型ダンパーの更なる主たる構成は、直方形状をなす収容空間を有する容器部としてのケーシングと；前記容器部の収容空間内に配され、少なくとも該収容空間の壁面に平行して配される一対の脚部と該脚部の上端を繋ぐ横梁とからなる係合体と；前記容器部の収容空間において、前記係合体の脚部に係合して一定間隔を保持して上下に多段に、かつ水平状に配される複数の可動抵抗板と；前記可動抵抗板の間に微小間隙を保って水平状に配されるとともに前記ケーシングに対して整流部により所定間隔を保持して固定される固定抵抗板と；前記容器部の収容空間に充填され、前記可動抵抗板と固定抵抗板との間隙並びに前記整流部を満たす粘性体と；を含み、前記固定抵抗板の両端部の前記整流部は前記粘性体の流通をなすことを特徴とする。
【０００５】
（作用）
温度変化に伴う上部構造の緩慢な変位に対しては、その変位は上蓋を介して係合ブロックを移動させ、更には該係合ブロックに係合する可動抵抗板を変位させる。この場合、可動抵抗板の動きは緩慢であり、可動抵抗板と固定抵抗板との間にはせん断抵抗力は生ぜず、この変位を許容する。
地震に伴う上部構造の急激な変位に対しては、その変位は上蓋・係合ブロックを介して可動抵抗板を急激に移動させ、固定抵抗板に対して大きな相対的運動となる。これにより、両抵抗板の間に介在する粘性体によって当該部位に粘性せん断抵抗力が生ずる。この粘性せん断抵抗力は地震動の急激な変位に対して大きな抵抗力となる。地震動は周期的なものであり、それに伴う上記粘性せん断力は相反する方向に交互に作用し、その結果、大きな減衰性を発揮することになり、上部構造の振動は速やかに吸収される。
【０００６】
この動作において、本整流部は次の作用をなす。
係合ブロック・可動抵抗板の急速な移動により、粘性体は係合ブロック・可動抵抗板により押出し作用を受け、粘性体自体が乱流状の流動化を起こそうとするが、当該粘性体の乱流状の流動化に伴う圧力の高まりは固定抵抗板の端部に設けられた整流部に導かれるとともに、該整流部は連通状態となっているので圧力はその一部に偏よることなく均等化し、粘性体の圧力の高まりは低減される。これにより、粘性体の乱流化は抑制されるとともに、粘性体への空気の混入は防止され、固定抵抗板と可動抵抗板との２面間には所期のとおりの粘性せん断抵抗力が発現されるものである。従ってまた、粘性体のオーバーフローも生じない。
【０００７】
【発明の実施の形態】
本発明の粘性せん断型ダンパーの実施の形態を図面に基づいて説明する。
（第１実施形態）
図１〜図４はその一実施形態（第１実施形態）の粘性せん断型ダンパーＤを示し、一方向移動型かつ密閉型を採る。すなわち、図１〜図３はその全体構成を示し、図４はその部分構成を示す。なお、図において、Ｘは主たる移動方向を示し、ＹはＸに直交する平面方向を示す。
【０００８】
本実施形態の粘性せん断型ダンパーＤは、上蓋２と容器部３とからなるケーシング１と、上蓋２の下面から垂設される対象位置にある２個一対の係合ブロック４と、容器部３の収容空間に交互に所定の間隙を保って設置される複数の固定抵抗板５及び可動抵抗板６と、容器部３の収容空間に充填される粘性体７と、固定抵抗板５の両端部に配される整流部８と、を含む。
なお、上記の容器３の収容空間における固定抵抗板５、可動抵抗板６並びに該抵抗板５，６間に充填される粘性体７により粘性せん断抵抗発生部Ｒを形成する。
この粘性せん断型ダンパーＤは上部構造Ｇと下部構造Ｂとの間に介装設置される。
【０００９】
以下、各部の細部構成に付いて説明する。
ケーシング１
ケーシング１は、実質的に平板状をなす上蓋２と、内部に収容空間Ｋを有する容器部３とからなり、上蓋２は容器部３の開口部の上端面を摺動自在に塞ぐ。
もっと詳しくは、上蓋２は容器部３の開口をその摺動範囲において余裕をもって塞ぐ広がりを有し、その下面２ａは平滑に仕上げられている。また、その上面には、中央に円形のダボ１０が突設され、また、複数のアンカーボルト１１が植設される。該ダボ１０・アンカーボルト１１はともに上部構造Ｇとの固定に使用されるものであり、他の適宜の固定手段に替えられうる。
容器部３は、側壁部１３と底板部１４とから上部に開口する箱状をなし、その内部は直方形状の収容空間Ｋを形成する。側壁部１３はＸ軸方向に対面する側壁部１３ＸとＸ軸方向に沿う側壁部１３Ｙとからなる。容器部３の外面には補強リブ１５が一体的に形成されているが、該補強リブ１５は適宜省略できる。底板部１４の外側にはアンカー挿通孔１６が開設され、下部構造Ｂに埋設されたアンカーボルト１８（一点鎖線表示）が挿通され、ナット１９（一点鎖線表示）を締め込んで固定される。なお、容器部３がコンクリート中に埋設される場合は、これらのアンカー挿通孔１６、アンカーボルト１８、ナット１９は省略されうる。
【００１０】
係合ブロック４
係合ブロック４は２個１対となり、上蓋２の下面より垂設される。該係合ブロック４は、所定の幅、長さ及び高さを有し、実質的に直方体よりなり、２つの係合ブロック４は互いに所定間隔を存して、かつ対称位置に配される。更に、該２つの係合ブロック４は、所定位置に設置されたとき、容器部３の側壁部１３Ｙの壁面から一定間隔αを存して配される。係合ブロック４は上蓋２と一体になるものであるが、上蓋２への固定は溶接あるいは取付けボルト等の固着手段が適宜採用される。取付けボルトによる場合は取り外し可能であり、便利である。
【００１１】
粘性せん断抵抗発生部Ｒ：固定抵抗板５・可動抵抗板６・粘性体７
固定抵抗板５と可動抵抗板６とは交互に一定微小間隔δを存して上下に積み重ねて配され、その間隙中に充填された粘性体７とともに、粘性せん断抵抗発生部Ｒを構成する。
【００１２】
（固定抵抗板５・可動抵抗板６）
固定抵抗板５は、Ｘ方向に長い長方形状にして表面が平滑な薄板よりなり、後で詳述する整流部８にＸ方向の両端で挟着固定される。
可動抵抗板６は、表面が平滑な長方形状の薄板よりなり、そのＸ方向の長さは固定抵抗板５よりも短く、Ｙ方向の両端には矩形状の凹部２１が凹設される。該凹部２１は係合ブロック４に緩く嵌合する。
固定抵抗板５及び可動抵抗板６は鋼板製をもって作成されるが、剛性素材であれば他の材質の使用を妨げない。そして、固定抵抗板５と可動抵抗板６とは前記したように交互に一定微小間隔δを存して上下に積み重ねて配される。この微小間隔δを保持するために、固定抵抗板５と可動抵抗板６との間に通常はスペーサ２２が配されるが、抵抗板５，６が小さく軽量である場合にはスペーサを省略することは可能である。あるいは、固定抵抗板５のＸ方向の両端部でスペーサ（図示せず）を介して所定間隔を保持する態様も採りうる。
この配設において、最下部の固定抵抗板５が整流部８を介して、後記する該整流部８の段部２３に載置して取り付けられ、その上に最下部の可動抵抗板６が載置され、以後、固定抵抗板５と可動抵抗板６とを交互に上方に積み上げてゆく。このとき、可動抵抗板６は位相を揃えられ、各凹部２１は上下に位相を一致する。
上蓋２の下面に取り付けられた係合ブロック４はこの可動抵抗板６の凹部２１に嵌まり込む。中立状態にあるとき、係合ブロック４の内面と固定抵抗板５の端面とは一定間隔βを保持し、一般に、この間隔βは前記した係合ブロック４と壁面との距離αに等しいか、あるいは該距離αよりも大きく採られる。
【００１３】
（粘性体７）
粘性体７は、例えば、ポリオレフィン、ポリシロキサン等の高粘性体物質が使用されるが、所期の粘性せん断抵抗を発揮するものであれば、その使用を妨げるものではない。
【００１４】
整流部８
整流部８は、ケーシング１の容器部３の収容空間Ｋ内におけるＸ方向の両端部に配され、各端部において所要数（少なくとも２、本実施形態では５）の隔壁板２５が間隔を保って鉛直に相並んで配されてなる。隔壁板２５は、所定の幅と厚さと高さとを有し、そのほぼ中央に縦方向に単一の透孔２６が開設され、容器部３の側壁部１３の内壁面と底板部１４とに固定される。該隔壁板２５の幅Ｂは固定抵抗板５の長さを決める。
しかして、この隔壁板２５よりなる整流部８は、一義的には後述するように可動抵抗板６の動きの安定化に寄与するものであり、二義的には固定抵抗板５の取付け位置保持をなす。
【００１５】
図４に基づいて隔壁板２５の更に詳細構造を説明する。
該隔壁板２５は幅Ｂをもって実質的に長方形状をなすが、その下部において段部２３を介して幅広形状を採り、この段部２３に前記した最下部の固定抵抗板５が載置される。また、その高さＨは底部が容器部３の底面に当接され、その上部は最上部の固定抵抗板５より余裕長さを存して突出するように決められる。
隔壁板２５に開設される透孔２６は本実施形態では小判形をなし、１か所に穿設されるが、角形、円形、菱形等を１又は２以上設けてもよく、要は粘性体７の流動を円滑になすように決められる。
隔壁板２５の容器部３への取付けに付いては、通常は溶接をもってなされるが、側壁部１３の内壁面に形成した溝に嵌合することも一手段である。
【００１６】
整流部８は、上述した一義的・二義的機能を果たすものであれば、本実施形態に限らず、他の態様を採りうる。
図５・図６はその一態様の整流部８Ａを示す。すなわち、該整流部８Ａは容器部３の収容空間Ｋの両端部において、容器部３の側壁部１３Ｙ間に鉛直状に隔壁板の一態様としての隔壁大板２８が架け渡されている。該隔壁大板２８の両側には透孔２９が開設され、固定抵抗板５はこの隔壁大板２８に固設される。隔壁大板２８と容器部３の側壁部１３Ｘとの間には、縦板３０が適宜介装され、隔壁大板２８の補強となす。該縦板３０には透孔が設けられることは勿論である。
【００１７】
（設置の態様）
この粘性せん断型ダンパーＤは、上部構造Ｇと下部構造Ｂとの間に介装されるが、上部構造Ｇの荷重を支持する機能はなく、上部構造Ｇの動作の諸態様に応じて干渉作用をなす。
しかして、該粘性せん断型ダンパーＤは上部構造Ｇの変位の現れる箇所に配されるものであり、上蓋２をダボ１０・アンカーボルト１１を介して上部構造Ｇに固設させ、容器部３をアンカー部材を介して下部構造Ｂに固設させる。この固設は種々の態様を採るものであって、本実施形態はその一例示であり、上部構造Ｇに鋼材が露出する場合には、ダボ１０・アンカーボルト１１も不要であり、上蓋２と溶接により固設することができる。また、容器部３を直接コンクリート中に埋設する態様を採ることができる。
この粘性せん断型ダンパーＤは、橋梁においては、橋脚上において橋桁と橋脚との間に、かつ橋軸方向にその主たる移動方向を一致させて設置される。また、体育館・競技場等大きな空間を有する建物施設においては、大屋根が建物躯体上に可動に載置され、該大屋根と建物躯体上面との間にこの粘性せん断型ダンパーＤが介装設置される。この建物施設の場合には、平面方向の変位、すなわちＸ及びＹ方向への変位が現れる。
【００１８】
（本実施形態の作用）
この実施形態の粘性せん断型ダンパーＤは次のように作動する。
温度変化に伴う上部構造Ｇの緩慢な変位に対しては、その変位は上蓋２を介して係合ブロック４を移動させ、更には凹部２１を介して係合ブロック４に係合する可動抵抗板５を変位させる。この場合、可動抵抗板５の動きは緩慢であり、可動抵抗板５と固定抵抗板６との間には粘性せん断抵抗力は生ぜず、この変位を許容する。
地震に伴う上部構造Ｇの急激な変位に対しては、その変位は上蓋２・係合ブロック４を介して可動抵抗板６を急激に移動させ、固定抵抗板５に対して大きな相対的運動となる。この変位は橋梁にあっては橋軸方向に卓越し、本ダンパーＤのＸ軸はこの橋軸方向に合致させられている。この相対的変位により、両抵抗板５，６の間に介在する粘性体７によって当該部位に粘性せん断抵抗力が生ずる。この粘性せん断抵抗力は２面間の距離に反比例し、速度の２乗に比例するものであり、本ダンパーＤでは２面間距離は微小間隙を採り、地震動の急激な変位に対して大きな抵抗力となる。地震動は周期的なものであり、それに伴う上記粘性せん断力は相反する方向に交互に作用し、その結果、大きな減衰性をもって上部構造Ｇの振動は速やかに吸収される。
【００１９】
この動作において、本整流部８は次の作用をなす。
係合ブロック４・可動抵抗板６のＸ方向への急速な移動により、粘性体７は係合ブロック４・可動抵抗板６の端面により押出し作用を受け、粘性体７自体が流動化を起こし、粘性体７が乱流化するとともに、粘性体７に空気の混入が起こる。これにより、固定抵抗板５と可動抵抗板６との間の粘性せん断抵抗力が不安定化することになる。更に、粘性体７のオーバーフローを起こすことにもなる。
本整流部８は、固定抵抗板５の端部に設けられたものであるので、上記の粘性体７の流動化が生じてもその圧力の高まりは当該整流部８に導かれるとともに、該整流部８は、連通状態となっているので圧力はその一部に偏よることなく均等化し、粘性体８の圧力の高まりは低減される。これとともに粘性体７の乱流化は抑制される。この結果、粘性体７への空気の混入は防止され、固定抵抗板５と可動抵抗板６との２面間には所期のとおりの粘性せん断抵抗力が発現されるものである。従ってまた、粘性体７のオーバーフローも生じない。
【００２０】
次に、この可動抵抗板６の変位において、主たる変位方向（Ｘ方向）より逸れて、該主たる変位方向と直交する方向（Ｙ方向）への移動成分が存するとき、あるいはまた、直接的にＹ方向へ移動するとき、係合ブロック４の側面の流動抵抗を主たる要因として前記と同様の粘性体７の乱流化及び空気の混入が生じる。
この場合、係合ブロック４の側面の前方に生じる圧力の高まりは両側方の整流部８に導かれ、整流部８においては連通状態となっているので、この圧力の高まりは速やかに消散する。
この結果、粘性体７への空気の混入は防止され、固定抵抗板５と可動抵抗板６との２面間には所期のとおりの粘性せん断抵抗力が発現されるものである。従ってまた、粘性体７のオーバーフローも生じない。
【００２１】
叙上の構成よりなる本実施形態の粘性せん断型ダンパーＤによれば、係合ブロック４・可動抵抗板６の急激な変位に伴う粘性体７の圧力の高まりは整流部８により低減され、粘性体７の乱流化並びに空気の混入が防止され、この結果固定抵抗板５と可動抵抗板６との安定した粘性せん断抵抗力が発現され、更には粘性体７のオーバーフローもない。
【００２２】
（第２実施形態）
図７及び図８に本発明の他の実施形態（第２実施形態）の粘性せん断型ダンパーＤ１を示す。この実施形態では平面上の全方向移動型かつ密閉型を採る。これらの図において、先の第１実施形態と同等の部材は同一の符号が付されている。また、Ｘ’，Ｙ’軸は平面上互いに直交する方向を示し、ともに主たる移動方向を示す。
本粘性せん断型ダンパーＤ１においては、ケーシング１Ａは、ともに水平断面が方形をなす上蓋２Ａと容器部３Ａとからなり、上蓋２Ａの下面の中央から四角柱状の係合ブロック４Ａが容器部３Ａの収容空間Ｋ内に垂設される。容器部３Ａには、整流部８Ｂを介して方形をなす複数の固定抵抗板５Ａが固定され、また、係合ブロック４Ａに係合するとともに同じく方形をなす複数の可動抵抗板６Ａが前記固定抵抗板５Ａの間に微小間隔を存して介装される。固定抵抗板５Ａは大きな差し渡し寸法を採り、中央に方形のくり抜き部を有し、可動抵抗板６Ａは小さな差し渡し寸法を採り、中央に係合ブロック４Ａを挿通するくり抜き部を有する。固定抵抗板５Ａと可動抵抗板６Ａとは一定幅で位相的に重なる。容器部３Ａの収容空間Ｋ内には粘性体７が充填され、固定抵抗板５Ａと可動抵抗板６Ａとの間を満たし、粘性せん断抵抗発生部Ｒを形成する。
本実施形態の整流部８Ｂは、容器部３Ａの内壁にそってその四周に設けられ、先の実施形態と同一構成の隔壁板２５を鉛直状に複数並べて構成される。この隔壁板２５により固定抵抗板５Ａが挟着把持されることは先の実施形態に準じる。
【００２３】
この粘性せん断型ダンパーＤ１の作動に付き、自由な方向への急激な変位があると、本ダンパーＤ１においてＸ’方向成分とＹ’方向成分とに分かれるが、各方向成分において可動抵抗板６Ａは移動し、固定抵抗板５Ａとの間にこの相対的変位に基づく粘性せん断抵抗力が生じ、急激な変位の減衰がなされる。
この作動において、係合ブロック４Ａ及び可動抵抗板６Ａの運動により生起される粘性体７内の圧力の高まりは、四周に配された整流部８Ａにより低減される。その結果、粘性体７への空気の混入は防止され、固定抵抗板５Ａと可動抵抗板６Ａとの２面間には所期のとおりの粘性せん断抵抗力が発現されるものである。
【００２４】
本発明は上記実施形態に限定されるものではなく、本発明の基本的技術思想の範囲内で種々設計変更が可能である。すなわち、以下の態様は本発明の技術的範囲内に包含されるものである。
1)叙上の２つの実施形態では上蓋２，２Ａが容器部３，３Ａの開口を閉塞するいわゆる密閉型を採ったが、係合ブロック４，４Ａの上端を横梁で一体的に結合して門形状となす態様を採ることができ、この場合は開放型となる。
図９はその係合体９を示し、脚部９ａと横梁９ｂとからなる。脚部９ａは係合ブロック４に対応し、可動抵抗板６が係合され、また、容器部３の底部に着底する態様、浮遊する態様の２様を採りうる。横梁９ｂは上部構造Ｇに結合される。2)隔壁板２５段部２３は適宜省略でき、この場合、固定抵抗板５は他の適宜手段をもって隔壁板２５に、あるいは他の部材に固定される。
【００２５】
【発明の効果】
本発明の粘性せん断型ダンパーは上記構成よりなり作用を奏するものであるので、係合ブロック・可動抵抗板の急激な変位に伴う粘性体の圧力の高まりは整流部により低減され、粘性体の乱流化並びに空気の混入が防止され、この結果固定抵抗板と可動抵抗板との安定した粘性剪断抵抗力が発現され、更には粘性体のオーバーフローもない。
【図面の簡単な説明】
【図１】本発明の粘性せん断型ダンパーの一実施形態の全体構造を示す一部平面一部断面図（図２のＩ−Ｉ線断面図）。
【図２】図１のII-II
線断面図。
【図３】図１のIII-III
線断面図。
【図４】その要部の整流部の拡大図。
【図５】整流部の他の態様図
【図６】その整流部の部分構成図
【図７】本発明の粘性せん断型ダンパーの他の実施形態の全体構造を示す断面図（図８のVII−VII 線断面図）。
【図８】図５のVIII−VIII線断面図。
【図９】係合体の斜視図。
【符号の説明】
Ｄ，Ｄ１…粘性せん断型ダンパー、１，１Ａ…ケーシング、２，２Ａ…上蓋、３，３Ａ…容器部、４，４Ａ…係合ブロック、５，５Ａ…固定抵抗板、６，６Ａ…可動抵抗板、７…粘性体、８，８Ａ，８Ｂ…整流部、２５…隔壁板、２６…透孔、２８
【図１】
0004038266.tif 000002
【図２】
0004038266.tif 000003
【図３】
0004038266.tif 000004
【図４】
0004038266.tif 000005
【図５】
0004038266.tif 000006
【図６】
0004038266.tif 000007
【図７】
0004038266.tif 000008
【図８】
0004038266.tif 000009
【図９】
0004038266.tif 000010